(57)【要約】  遠隔制御装置のコントローラが、該装置のキーボードを検査するための検査モードを実施するために改良されている。検査において、前記キーのうちの特定のものが、選択された組合せで並行して押圧される。それに応じて、前記コントローラは、前記装置に、並行して押圧される前記キーの動作についての情報を含むＲＣ５フレームを発生させる。このアプローチは、遠隔制御装置の検査を効率化する。
2008511892.tif 000002
【特許請求の範囲】
【請求項１】
電子装置であって、
−複数のキーであって、それぞれのキーが、当該装置の動作状態において押圧される場合に当該装置の対応する機能性を制御するためのものであるような、キーと、
−少なくとも検査において検査モードを有するコントローラであって、該コントローラが、前記キーの特定のものが並行して押圧されていることを示す出力を発生するように動作可能であるようなコントローラと、
を備える電子装置。
【請求項２】
−前記特定のキーが、ゴーストキー効果を防ぐ組合せを形成し、
−前記出力が、前記組合せの指示を有する、
請求項１に記載の装置。
【請求項３】
前記組合せの前記指示が、前記検査モードにおいて押圧されると検出される前記特定のキーのうちの特定の１つによって決定される、請求項２に記載の装置。
【請求項４】
前記出力が、検査される特定のキー毎に指示を有する、請求項１に記載の装置。
【請求項５】
前記コントローラが、該コントローラが前記装置の前記動作状態を制御するように動作可能であるような別のモードを有する、請求項１に記載の装置。
【請求項６】
電子機器の制御用の遠隔制御装置を有する、請求項１に記載の装置。
【請求項７】
複数のキーを有する電子装置において用いるように構成されるコントローラを備える電子回路であって、前記キーのそれぞれが、当該装置の動作状態において押圧される場合に当該装置の対応する機能性を制御するためのものであり、前記コントローラが検査モードを有し、前記検査モードにおいて前記コントローラが、前記キーの特定のものが並行して押圧されていることを示す出力を発生するように動作可能である、電子回路。
【請求項８】
−前記特定のキーが、ゴーストキー効果を防ぐ組合せを形成し、
−前記出力が、前記組合せの指示を有する、
請求項７に記載の回路。
【請求項９】
前記組合せの前記指示が、前記検査モードにおいて押圧されると検出される前記特定のキーのうちの特定の１つによって決定される、請求項８に記載の回路。
【請求項１０】
前記出力が、検査される特定のキー毎に指示を有する、請求項７に記載の回路。
【請求項１１】
前記コントローラが、該コントローラが前記装置の前記動作状態を制御するように動作可能であるような別のモードを有する、請求項７に記載の回路。
【請求項１２】
複数のキーを有する電子装置を検査する方法であって、前記キーのそれぞれが、当該装置の動作状態において押圧される場合に当該装置の対応する機能性を制御するためのものであり、当該方法が、
−前記装置に、前記キーの特定のものが並行して押圧されていることを示す出力を発生させるステップと、
−前記出力を受信するステップと、
―前記特定のキーの適切な動作又は不良動作を決定するために、前記出力を分析するステップと、
を有する方法。
【請求項１３】
前記特定のキーが並行して押圧されることにより前記装置に前記出力を発生させるような動作のモードに前記装置を設定する及び／又はから解除するステップを有する、請求項１２に記載の方法。
【発明の詳細な説明】
【技術分野】
【０００１】
本発明は、複数の押圧可能なキーを有する電子装置に関する。本発明は、更に、複数のキーを有する電子装置で用いるコントローラを備える電子回路、及び斯様な装置を検査する方法に関する。
【背景技術】
【０００２】
製造工程の一部として、各電子装置は、工場を離れる前に検査される必要がある。装置がキー又はボタン（キーボード、キーパッド）を有する場合、これらは正常な機能性に関して検査される必要がある。検査工程は、各キーを別々に押圧し、結果が期待されるものであるかを確認するように簡単なものであり得る。この方法は、しかし、工業化するのはあまり簡単ではない。装置がマイクロコントローラを有する場合、検査されるべき装置は、動作状態における装置の機能性と異なる機能性を検査中に有するように容易に構成され得る。検査モードは、装置のキーを検査する自動化検査システムを用いることを可能にする。検査機はキーを押圧し、装置から検査データを受け取る。キーを押圧することは、例えば空気ピストンなどを用いて実行され得る。装置が通信用の手段（送信専用でも十分）を有する場合、この手段は、例えばケーブル（ＲＳ２３２，ＵＳＢ等）、赤外線（ＲＣ５，ＩｒＤａ等）、ＲＦ，音声等を介して検査機検査データを送信するのに用いられる。
【０００３】
装置のキーは、装置のマイクロコントローラに接続される必要がある。各キーは、個別にコントローラに接続され得る。このことは、各キーがコントローラの１つのＩ／Ｏラインを用いることを意味する。キー毎に１つのラインを用いることは、あまり経済的ではなく、したがって、キー行列が代わりに通常用いられる。この場合、キーは、個別の接続に関して必要とされるよりも少ないコントローラのＩ／Ｏラインを用いて、行列（キー行列）で組織化される。当該行列は、機能的に行及び列に分割される。各行及び各列は、個別にコントローラに接続され、行および列の各交差点は、１つのキーを提供する。例えば、６行及び７列のキー行列は、４２個のキーを提供し得る。装置の動作状態において、該行列は、例えば、列を順次読み出すか又は行を順次読み出すことによって走査される。列を順次読み出す場合、全ての行が列毎に走査される。行を順次読み出す場合、全ての列が行毎に走査される。
【０００４】
キー毎の個別の接続に対する行列の不利な点は、行構成を用いると、同時に押圧される複数のキーの全ての可能な組合せを一義的に検出することが可能でないという事実である。
【０００５】
「ゴーストキー」の問題は、これらの状況の下に生じ得る。上述のキー行列において、各行および各列は、電気的にコントローラと接続される。何のキーも押圧されない場合、どの列からどの行へも流れる電流は存在しない。キーが押圧される場合、当該キーは、関連付けられる行及び関連付けられる列の間における交差点において電気的接続を生じさせる。この場合、当該キーの列から当該キーの行への電流が流れ得る。行及び列の何の他の組合せも電流を流れさせないので、この特定のキーが検出され得る。上述のキー行列のアプローチを用いると、２つの同時キー押圧を正確に検出することも可能である。３つのキーが同時に押圧され、これらのキーが２つの列及び２つの行の交差点に位置される場合、どの３つのキーが押圧されているかを正確に検出することは不可能である。２つの列及び２つの行は、行列において想像上の長方形を形成する。３つの押圧されるキーの交差点は、この長方形の３つの角に位置する。これらの３つのキーが押圧される場合、電流は、２つの列のそれぞれから２つの行のそれぞれへ流れるので、コントローラは、長方形の４番目の角の交差点においてもキーが押圧されること、すなわち「ゴーストキー」を検出する。４つのキーが検出され、３つのみが押圧されるので、コントローラがどの１つがゴーストキーであるかを決定することは不可能である。
【０００６】
検査されるべき装置が（ゴーストキーを防ぐもの以外の）複数の同時キー押圧を必要としない又は可能としない場合、通常、ゴーストキーを防ぐ又は考慮に入れる理由もない。
【０００７】
「ゴーストキー」検出に関する更なる背景として、例えば、参考文献としてともに本文書に組み込まれる米国特許第4,888,600号及び米国特許第5,220,323号などを参照されたい。米国特許第4,888,600号は、キースイッチの作動に応答してキーコードを生成する行列キーボードシステムに関する。前記キーボードシステムは、ゴーストキー状態検出を含む。前記キーボードシステムにおいて、一群の並列駆動ライン及び一群の直交する並行感知ラインが、キースイッチが行列における交差する点のそれぞれに関連付けられて、行列を形成する。前記駆動ラインは、順次的に有効状態にされ、有効状態にされた駆動ラインに沿ったキースイッチの作動は、駆動信号を前記関連付けられた感知ラインへと結合することになる。ゴーストキー状態は、行列における概念的な長方形の４つの角のうちの３つが作動されたキースイッチを含む場合に生じる。ゴーストキー状態検出器は、感知ラインだけでなく駆動ラインにおいても駆動信号の存在を感知し、駆動信号が２つ以上感知ライン及び２つ以上の駆動ラインで同時に感知される場合にゴーストキー状態が識別される。米国特許第5,220,323号は、行列を形成する行および列間における交差する点に配置されるキースイッチを有するキー行列と、キー行列の行及び列を選択し、キー行列の前記選択された行および前記選択された列の交差する点に配置されたキースイッチの状態を感知するための制御ユニットとを含むキーボード機器に関する。当該機器は、２つ以上の押下されたキーがキー行列の行に存在するか否かを確認するために第１期間においてキー行列のキースイッチ状態を感知する第１確認ユニットと、２つ以上の押下されたキーがキー行列の列に存在する場合に、キー行列においてキー押下が発見される行に２つ以上の押下されたキーが存在するか否かを決定するための確認が行われるように、第２期間においてキー行列のキースイッチ状態を感知する第２確認ユニットと、を含む。当該機器は、第１及び第２確認ユニットが２つ以上の押下されたキーがキー行列の行及び列の両方に存在することを確認する場合に、一時的に、押下されたキーに関連付けられるキースイッチの押下処理を留保する。
【発明の開示】
【発明が解決しようとする課題】
【０００８】
装置のそれぞれのキーを検査することには、かなりの時間を費やされる。複数のキーを備える簡単な装置を検査する場合、前記キーを検査する検査するステップは、検査時間のほとんど全てを占有する。というのも検査されるべき他に如何なる機能性がほとんどないからである。キー行列にあるキーは、通常、順次的に検査される。この検査を用いると、それぞれのキーは、形成及び断線に関して検査され、キー行列の如何なる２つのライン間における短絡回路に関しても自動的に検査する。１つのキーを検査するのには特定の時間が必要である。この時間は、キーの反発及びラインキャパシタンスが除去され得ないので、更には低減され得ない。したがって、装置全体を検査することは、上述のアプローチを用いると短縮され得ない所定の時間を必要とする。
【０００９】
本願発明者は、複数のキーを有し検査されるように構成される電子装置、斯様な装置において用いるコントローラを備える回路、及びキーを配置するユーザインターフェイスを有する電子装置に関する検査方法を提案する。
【課題を解決するための手段】
【００１０】
本発明の実施例の１つは、複数のキーを有する電子装置に関する。前記キーのそれぞれは、当該装置の動作状態において押圧される場合に当該装置の対応する機能性を制御する。前記装置は、更に、少なくとも検査において検査モードを有するコントローラを有し、前記検査モードにおいて前記コントローラは、前記キーの特定のものが並行して押圧されていることを示す出力を発生するように動作可能である。前記特定のキーは、ゴーストキー効果を防ぐとともに前記出力における指示（indication）に対応する組合せを形成するものである。
【００１１】
本発明は、前記コントローラ、好ましくは前記装置の動作状態をも管理するものが、検査工程において機能的な役割を果たし得るという洞察に基づく。前記コントローラは、該コントローラが、並行して押圧される特定のキーの一群毎に出力を発生する検査モードを有する。この出力は、前記特定のキーが正常の動作していたかを確認するために用いられる。前記特定のキーは、ゴーストキー効果を防ぐ組合せを形成する。前記特定のキーが並行して押圧されているので、これらは、前記検査モードにある前記コントローラに、この組合せの指示を有する出力を発生させる。前記組合せの指示は、前記検査モードにおいて押圧されるとして検出される特定のキーのうちの特定の１つ、例えば第１のキー又は最後のキーによってか、又は前記検査モードにおいて押圧されるとして検出される前記特定のキーの最も高い可能性の組合せを計算する方法によって決定される。好ましくは、前記出力は、例えば「このキーは正常に動作する」又は「このキーは不良動作する」などの検査される特定のキー毎の指示を有する。前記コントローラがこの組合せに属しない押圧されているキーを検出する場合、前記出力は、これをエラーとしてシグナリングする。また特定のキーの組合せが不良動作する場合、前記出力は、これをエラーとしてシグナリングする。
【００１２】
本発明の別の実施例は、複数のキーを有する電子装置において用いるように構成されるコントローラを備える電子回路であって、前記キーのそれぞれが、当該装置の動作状態において押圧される場合に当該装置の対応する機能性を制御するためのものである電子回路に関する。前記コントローラは、少なくとも当該装置の検査において検査モードを有し、前記検査モードにおいて前記コントローラが、前記キーの特定のものが並行して押圧されていることを示す出力を発生するように動作可能である。前記コントローラは、好ましくは、上述されてきたものに従う特性を有し、及び上述されてきたものに従い動作する。
【００１３】
更に別の実施例は、複数のキーを有する電子装置を検査する方法であって、前記キーのそれぞれが、当該装置の動作状態において押圧される場合に当該装置の対応する機能性を制御するような方法に関する。当該方法は、前記装置に前記キーの特定のものが並行して押圧されていることを示す出力を発生させるステップと、前記出力を受信するステップと、前記特定のキーの適切な動作であるか又は不良動作かを決定するために、前記出力を分析するステップと、を有する。好ましくは、前記方法は、複数のキーが並行して押圧されることにより前記装置に前記出力を発生させるような動作のモードに前記装置を設定する及び／又はから解除するステップを有する。
【００１４】
本発明は、例として且つ添付の図面を参照にして更に詳細に説明され得る。
【００１５】
図を通して、同一の参照符号は、類似の又は対応する特徴を示す。
【発明を実施するための最良の形態】
【００１６】
図１は、本発明における検査システム１００のブロック図である。システム１００は、複数のキー１０４を有する電子装置１０２を備える。装置１０２は、例えば、民生家電（ＣＥ）機器の制御用の遠隔制御装置などを備える。キー１０４のそれぞれは、装置１０２の動作状態において押圧されると装置１０２の対応する制御機能性を起動する。例えば、一つのキーは、「チャンネルを上げる」機能性を実施し、別のものは、「チャンネルを下げる」機能性を実施し得、更に別のものは「消音」ボタンである。制御機能性のいくつかは、特定の組合せのキーが順次的に又は同時に押圧される必要があり得る。互換性のあるＣＥ機器（図示せず）の遠隔制御に関して、装置１０２は、例えば赤外線（ＩＲ）送信器又は無線周波数（ＲＦ）送信器などを備える通信手段１０６を有する。装置１０２は、更に、装置１０２の動作状態においてキーの押圧をＩＲ又はＲＦ命令に変換するコントローラ１０８を有する。
【００１７】
検査システム１００は、更に、装置１０２の正常な動作を点検するために装置１０２と相互作用する検査機１１０を備える。これを果たすために、機械１１０は、空気ピストン（図示せず）などを備えるインターフェイス１１２を介して１つ又は複数のキー１０４を操作する。ピストンの数は、キー１０４の数と等しくあり得か、更に以下に例証されるように、キー１０４の数よりも少なくあり得る。キー１０４が作動されることに対する装置の１０２の応答は、インターフェイス１１４を介して機械１１０に通信される。装置１０２が遠隔制御装置を備える場合、インターフェイス１１４は、ＩＲ又はＲＦ受信器を備える。代替的に、インターフェイス１１４は、前記検査応答を電気信号として機械１１０へ通信するために、例えばケーブルを介してコントローラ１０８との直接的な電気接続を有する。
【００１８】
キー１０４のうちの複数のキーは、上述されたように製造業者における装置毎の総検査時間を低減するために並行して検査され得る。検査されるべき装置１０２におけるコントローラ１０８は、装置１０２の動作状態に関するモード、及び検査モードを有する。検査モードにおいて、コントローラ１０８は、装置１０２に検査情報を検査機１１０に送信するようにさせる。コントローラ１０８は、例えばキー行列などのキーの組織化に応じて特定のパターンでキー１０４を走査する。前記行列において、コントローラ１０８は、列を順次的に走査するキー走査工程を用いる。コントローラ１０８は、走査毎に全ての行を読み出し、列走査信号が行を介して読み返される場合キー押圧を検出する。
【００１９】
検査機１１０は、インターフェイス１１２を介して複数のキー１０４を同時に押圧する。機械１１０は、全てのキーを１回だけ検査するのに十分であるキー１０４の組合せを押圧及び開放をする。同時に押圧され得るキー１０４の特定のものは、「ゴーストキー」検出を生じさせ得る組合せを含まない。ゴーストキーの概念は上述されている。好ましくは、可能なキーの組合せは、所定であり、検査機１１０及び検査されるべき装置１０２の両方によって知られている（又は組合せを計算するアルゴリズムは既知である）。例えば、６×７のキー行列では、７つ（又は６つ）の組合せが存在し得る。
【００２０】
装置１０２でのキー押圧は、キー走査工程を開始する。キー走査において押圧されていると検出される最初のキーは、期待される複数のキーの組合せを規定する。キー走査において検出され組合せに一致する全てのキーの組合せ及び状態を表すデータは、検査機１１０に送信される。検査機１１０は、受信されたデータを、検査機１１０のメモリ（図示せず）に記憶されるデータと比較する。前記データが一致する場合、その組合せの特定のキーが正常に動作していたと見なされる。データが一致しない場合、装置１０２は、不良動作としてリジェクトされる。走査において、期待される特定のキーの組合せと異なる１つ又は複数の特定のキーが検出される場合、機械１１０はこのイベントを通知されるとともに、装置１０２が、不良動作をしていると見なされる。
【００２１】
以下は、遠隔制御装置１０２のキーを検査するシステム１００に関する、本発明の実施例を説明する。検査機１１０は、遠隔制御装置を移送し、それらに電源を供給し、キー１０４を押圧し、遠隔制御装置１０２から検査に従う検査データを受信し、そして装置１０２をリジェクトするか又は合格にする。装置１０２は、通常の動作機能とは別に、コントローラ１０８のＲＯＭにプログラムされた工場モードプログラムも有する。工場モード用の標準設定のプロトコルは、ＩＲのＲＣ５であるが、検査方法は、データを通信するいかなる媒体及びいかなるプロトコルを用いても原理的に機能する。ＲＣ５は、ＲＣ５フレームの標準規定に関して図２で参照されるように、システムフィールド及び命令フィールドを有する。
【００２２】
ＲＣ５は、１つのフレームで１つより多いキーの命令を伝送するように作られていない。したがって、本発明における検査モードにおいて用いられるプロトコルは、わずかに修正される。図３を参照されたい。しかし、この修正されたプロトコルは、いかなる標準ＲＣ５復号器によってもなお読み取り可能である。システムフィールドは、組合せ指示子（組合せ数）及びエラービットを伝送するのに用いられ得る。前記組合せ数は、並行して押圧されることを意図されるキー１０４のうちの特定のものの指示である。命令フィールドは、システムフィールドにおける組合せにある各特定のキーに関して予約された１つのビットを有する。
【００２３】
組合せ数に関して、図４の例に参照がされる。図４は、７行×８列の行列で組織化されたキー１０４を示し、それぞれのキーは、図面のように示される。上述されるように、キー１０４からの特定のキーの組合せは、ゴーストキー効果が防がれる場合、且つ走査においてコントローラ１０８によって検出される信号が、例えば同一の列の過多のキーが同時に押圧されている場合に列に入力される電流が過多の列間で分配されるといったことが原因によって弱いということでない場合、並行して検査され得る。例における各組合せは、整数（０から７）を与えられている。特定の組合せに属する全ての特定のキーは、図４に示されるように数字付けされている。例えば、数字の６を有するキーは、組合せ６に属する。各組合せは、何のゴーストキーも存在しないことを保証する。
【００２４】
キー走査毎に、特定の組合せの全てのキーが操作される。始めに、キー走査は、１つの行毎に（始めに行１）全てのキーを走査し、行毎に列１が始めに読み出される。この処理は、キー１０４が特定のパターンで１つずつ走査されることを意味する。「押圧されている」又は「有効状態」という状態にある始めに遭遇されたキーは、正常に動作する装置１０２で期待される組合せ数を規定する。例えば、座標［行２、列３］を有するキーがキー走査において発見される第１キーである場合、残りのキーは、組合せ数が１であるものに関して確認される。それぞれの複数のキーの押圧に関する出力は、図３に規定される「複数キー押圧コード」フレームである。キー走査において発見され、期待される組合せに一致するそれぞれのキーは、「複数キー押圧コード」命令フィールドに１つのビットを設定する。上述の例において、組合せ数１が［行２、列３］に関して決定される場合、ビットｋ１が「１」に設定される。また同じキー走査において［行４、列５］、［行６、列７］、及び［行７、列８］におけるキーが発見される場合も、ｋ３、ｋ５、およびｋ６が設定される。操作されていると検出されない組合せにおける全てのキーは、命令フィールドにおける対応するビットを「０」に設定させる。操作されていると発見されるが、考慮されている組合せと対応しないキーがある場合、ビット「ｅｒ」（エラー）が設定される。この場合、このことは、検査機が特定のキーの正しい組合せを押圧すると仮定して）該遠隔制御装置において短絡回路が存在することを示す。
【００２５】
装置１０２が図４のように組織化される５６個のキーを実際に有する場合、検査工程は例えば以下のように進められる。
−第１ステップ：装置１０２をインターフェイス１１２のピストンの下の位置に移送する。
−第２ステップ：装置１０２に電源を供給し、装置１０２を検査モードにする。
−第３ステップ：検査機１１０に、適切なピストンを稼働させることによって、例えば図４の指示「０」を有する全てのキーなどの、キー１０４のうちの特定のキーを押圧させる。それに応答して、装置１０２は、全てのｋ６…ｋ０ビットが設定され、ｃフィールドが０に設定され（すなわち、組合せ数）、及びエラービット「ｅｒ」をリセットされているＲＣ５コードを、インターフェイス１１４を介して送信する。トグルビット「ｔ」及び開始ビット「ｓ」は、それらの元の機能を維持する。伝送されるフレームの全体は、「1  0  0  00000  111111」である。機械１１０におけるＲＣ５復号器（図示せず）は、「00.127（十進数）」を示し得る。検査機１１０は、装置１０２からＲＣ５フレームを受信し、このフレームを自身のメモリにおけるテーブルと比較する。この場合、機械１１０は、組合せ「０」の７つのキーが正常に動作しているかを決定する。
−第４ステップ：組合せ「０」の特定のキーを開放し、図４のように示される組合せ「１」の全ての特定のキーを押圧する。同様に、装置１０２は、前記キー押圧に応答し、そしてＩＲフレーム「1  0  1  00001  111111(又は十進数形式で01.127)」を送出する。このフレームは、組合せ「１」の全ての特定のキーが発見され、他のキーは何も発見されないことを示す。トグルビットが変化していることを注意されたい。このことは、ＲＣ５における元の機能と同様である。検査機１１０は、ＩＲ伝送を受信し、組合せ「１」に関しても全てのキーが正常に動作していることを決定する。
−第５ステップ：上述の第４ステップと同じことを組合せ「２」、「３」、「４」、「５」、「６」又は「７」の全ての特定のキーに関して行う。それぞれのＲＣ５フレームは、図５のテーブルで与えられる。
−第６ステップ：最後の組合せの後、検査機１１０は、装置１０２を合格にさせるか又はリジェクトする。全ての組合せの全ての特定のキーが発見され、エラービットが全く設定されなかった場合、装置１０２は、少なくともキー検査に関しては合格している。
−第７ステップ：装置１０２を「合格済み」の指示とともに更に移送する。
【００２６】
上記の工程においてキー１０４のうちの１つが不良動作している場合、対応するビットは設定され得ず、検査機１１０は装置１０２をリジェクトする。リジェクトは、受信されるＲＣ５フレームにおけるデータと期待されるデータ（すなわち検査機１１０のメモリに記憶されるもの）と間の不一致に基づく。例えば、図４の「行４、列２」におけるキーが破損している場合、組合せ「６」に関するＲＣ５フレームは、「1  0  0  00110  110111(又は十進法形式で06.119)」に等しい。しかし、検査機１１０は、「1  0  0  00110  111111(又は十進法形式で06.127)」を期待しているので、装置１０２をリジェクトする。検査機１１０は、好ましくは、修理技術師にどのキーが不良であったかを示す。
【００２７】
２つの列又は２つの行の間の短絡回路も、検査機１１０によって検出される。例えば、図４の構成における列３及び列４の間に短絡回路が存在すると仮定する。検査機１１０は、組合せ「０」の特定のキーを押圧されるようにさせる。それに応答して、装置１０２は、キー走査を開始し、実際に組合せ「０」の全ての特定のキーを発見するが、「行４、列３」及び「行３、列４」におけるキーも発見する。これら２つのキーは、組合せ「７」及び組合せ「１」にそれぞれ属する。コントローラ１０８は、組合せ「０」の特定のキー以外のキーが（短絡回路の結果として）押圧されていることを検出し、この組合せ「０」に関するＲＣ５フレームにおいてエラービット「ｅｒ」を設定する。同様に、コントローラ１０８は、この状況において、組合せ「３」を除けば、いかなる組合せ数に関しても２つ多いキーを検出し得る。この組合せ「３」に関して、コントローラ１０８は、１つのみ余分なキーを発見するが、コントローラ１０８は、エラービットをなお設定する。この場合の伝送されるＲＣ５フレームは、図６のテーブルに与えられる。
【００２８】
検査機１１０は、エラービットが設定されたフレームを受信し、したがって装置１０２をリジェクトする。当業者にとって明らかであるように、他のエラーも同様に検出及び処理され得る。
【００２９】
上述される本発明は、ＩＲ遠隔制御装置の自動化された検査を促進する。通常の遠隔制御装置に対する検査時間が、劇的に低減される。この改善を用いると、検査システム１００は、製造ラインにおいてもはやボトルネックではない。ライン出力は、この場合、余分な並行する検査機を構築することなく増加され得る。本発明の有利な点は、キーの数が増加すると、増大する。
【００３０】
本発明は、ＲＣ５プロトコルにも、無線プロトコルにも、又は遠隔制御装置にも制限されない。ＰＣキーボード、携帯電話、計算機、ＰＤＡ、ラップトップ、及びラベルプリンタなどの、ユーザインターフェイスにおいてキーと、コントローラと、検査モードプログラムを記憶するプログラムメモリとを備えるいかなる他の装置も、本発明に従って検査され得る。
【図面の簡単な説明】
【００３１】
【図１】図１は、本発明における検査システムのブロック図である。
【図２】図２は、従来のＲＣ５フレームの構成を与える。
【図３】図３は、本発明において用いる修正されたＲＣ５の構成を与える。
【図４】図４は、組合せられたラベルを有するキー行列の図である。
【図５】図５は、適切に動作する装置の検査モードにおけるＲＣ５のテーブルである。
【図６】図６は、不良動作する装置の検査モードにおけるＲＣ５のテーブルである。
【図１】
2008511892.tif 000003
【図２】
2008511892.tif 000004
【図３】
2008511892.tif 000005
【図４】
2008511892.tif 000006
【図５】
2008511892.tif 000007
【図６】
2008511892.tif 000008
【国際調査報告】
2008511892.tif 000009
2008511892.tif 000010
2008511892.tif 000011